(57)【要約】【課題】    内部光の明るさが低下し、観測者が内部光源装置を観測する角度が変化するに従って観測される標識の明るさが変化する。【解決手段】  少なくともキューブコーナー型再帰反射素子層および光源装置から構成される再帰反射型内部照明表示装置において、該キューブコーナー型再帰反射素子層が蛍光着色層および気体層を含んでなる内部全反射原理に基づくキューブコーナー型再帰反射素子層であり、該光源装置から発せられる光の発光波長領域の一部が、該蛍光着色層の励起波長領域内にある。【選択図】    図２
2006284779.tif 000002
【特許請求の範囲】
【請求項１】
少なくともキューブコーナー型再帰反射素子層および光源装置から構成される再帰反射型内部照明表示装置において、該キューブコーナー型再帰反射素子層が蛍光着色層および気体層を含んでなる内部全反射原理に基づくキューブコーナー型再帰反射素子層であり、該光源装置から発せられる光の発光波長領域の一部が、該蛍光着色層の励起波長領域内にあることを特徴とする蛍光性再帰反射型内部照明表示装置。
【請求項２】
該蛍光着色層が可視光によって励起され発光することを特徴とする請求項１に記載の蛍光性再帰反射型内部照明表示装置。
【請求項３】
該光源装置から発せられる光が可視光であり、その発光波長の主波長が、該蛍光着色層の励起波長領域内にあることを特徴とする請求項１および２に記載の蛍光性再帰反射型内部照明表示装置。
【請求項４】
光源装置がエレクトロルミネッセンス（以降、ＥＬと言う）式光源装置、ＬＥＤ式光源装置、陰極管式光源装置、冷陰極管式光源装置のいずれからなる光源装置であることを特徴とする請求項１〜３に記載の蛍光性再帰反射型内部照明表示装置。
【請求項５】
光源装置が平面型光源装置であることを特徴とする請求項１〜４に記載の蛍光性再帰反射型内部照明表示装置。
【請求項６】
光源装置が無機または有機ＥＬ式光源装置であることを特徴とする請求項５に記載の蛍光性再帰反射型内部照明表示装置。
【請求項７】
光源装置の上部に光拡散層が設置されていることを特徴とする請求項１〜６に記載の蛍光性再帰反射型内部照明表示装置。
【請求項８】
キューブコーナー型再帰反射素子層に表面層が設置されていることを特徴とする請求項１〜７に記載の蛍光性再帰反射型内部照明表示装置。
【請求項９】
蛍光着色層が表面層及び／又は再帰反射素子層に設置されていることを特徴とする請求項１〜９に記載の蛍光性再帰反射型内部照明表示装置。
【請求項１０】
情報表示層が表面層の上面及び／又は下面に設置されていることを特徴とする請求項１〜９に記載の蛍光性再帰反射型内部照明表示装置。
【請求項１１】
キューブコーナー型再帰反射素子の背面に気体層を密封封入するための結合剤層が設置されていることを特徴とする請求項１〜１０に記載の蛍光性再帰反射型内部照明表示装置。
【請求項１２】
該結合剤層の光透過度が７０％以上であることを特徴とする請求項１１に記載の蛍光性再帰反射型内部照明表示装置。
【請求項１３】
キューブコーナー型再帰反射素子層による再帰反射光、蛍光性再帰反射型内部照明表示装置の外部から入射された光によって蛍光着色層が励起されることにより発する遷移光、内部光源装置から発する光によって蛍光着色層が励起されることにより発する遷移光、該内部光源装置から発する光の透過光、のうちそれらの一つの光もしくは２つ以上の合成された光により視認される蛍光性再帰反射型内部照明表示装置。
【発明の詳細な説明】
【技術分野】
【０００１】
本発明における蛍光性再帰反射型内部照明表示装置であって、案内標識、規制標識や工事標識などの交通標識、広告標識や店舗看板などの商業標識、各種の機械等に設置されるランプ類や表示パネルに用いられる表示装置に関する。
【０００２】
詳しくは、昼間は蛍光色の外観を呈し、夜間において外部から入射した光を光源に向かって再帰反射する表示装置に関し、該光源装置から発せられる光の発光波長領域の一部が、該蛍光着色層の励起波長領域内にあることを特徴とする蛍光性再帰反射型内部照明表示装置に関する。
【背景技術】
【０００３】
従来よりキューブコーナー型再帰反射シートを用いた交通標識などの表示装置において内部に様々な光源装置が設置されて、観測者に再帰反射シートからの再帰反射光および反射シートの層を透過して標識外部に発せられる内部光の両方が到達し、その結果、視認性が改善されるような再帰反射型内部照明表示装置はよく知られている。
【０００４】
また、上記の内部光源装置に使用可能なＥＬ装置に関して、発光色を白色に変換するための様々な提案がなされている。
【０００５】
森による日本公開特許平３−１５１９１（特許文献１）にはＥＬ用カラーフィルタ及びＥＬ素子に関して、ＥＬ素子に白色などの特定の発光色を得るために粘着在中に特定の発光色を有する蛍光顔料の少なくとも一種類を混和してフイルム状としたＥＬ用カラーフィルターを組み合わせたＥＬ素子が開示されている。
【０００６】
西口による日本公開実用新案平６−２３１９５（特許文献２）には、ＥＬ素子の蛍光体からの発光を白色に変換するための透明樹脂蛍光顔料を練りこんで形成した色変換フイルタを用いたＥＬ発光素子が開示されている。
【０００７】
高橋らによる日本公開特許平９−７３９８３（特許文献３）には、発光効率を向上し消費電流の無駄を解消するとともに長寿命化を図ることができるＥＬ発光装置に関して、ＥＬ発光面にプリズムシートが接合されており、各プリズムはシート平面に沿って同一方向（紙面直角方向）にまっすぐ延出し、ＥＬシートの出射光を所定の一方向に志向するようなＥＬ発光装置が開示されている。
【０００８】
スペンサーによる公表特許平８−５０２１３１（特許文献４）には、プリズム光反射部材からなる第１層と第１層に取り付けられた燐光性部材からなる第２層からなる反射及び発光性部材が開示されている。
【０００９】
荒木らによる日本公開特許平１０−１４３０９８（特許文献５）および日本国公開特許平１１−１５４１５（特許文献６）には、充分な反射性を有し、かつ外部光源装置からの照明がなくて再帰性反射が生じない場合でも、夜間の視認性が十分である自発光可能な再帰反射シートおよび反射性標識が開示されている。
【００１０】
上記の再帰反射シートは、略平坦な表面とプリズム状突起を配列した裏面とを有し、裏面からの全光線透過率が７０％以上のプリズム型再帰反射体と、２０％以上の全光線透過率の裏打ちフイルムであり、プリズム状突起を表面が空気との界面を有する状態で密封し、再帰反射体の裏面の全面積当り１０〜８５％の範囲の割合を占める様に接着して気密室を形成するシール突部を持つ表面と、シール突部に対応する部分以外では略平坦である背面を有する裏打ちフイルムとを含んでなる再帰反射材、及び、平坦な発光面が裏打ちフイルムの背面の平坦部分と密着しているエレクトロルミネッセンス素子を備えている。
【００１１】
三村らによる国際公開特許ＷＯ  ２００４／００６２１６（特許文献７）には、少なくとも一つの平面または曲面を有し、標識前面からの光に対して再帰反射性であり、標識内部からの光に対して光透過性の面を有する情報表示部、該情報表示部の背面に配置された照明装置、および情報表示部と照明装置とを閉鎖保持する矩体を具備する内部照明式標識において、上記情報表示部に用いる再帰反射性の素子が、内部全反射原理に基づくプリズム型再帰反射性素子であり、多数の該プリズム型再帰反射性素子が、密接して配置されて、連続した再帰反射面を形成し、少なくとも、多数の該プリズム型再帰反射性素子の背面の再帰反射する部分が、他の層との結合部分を有さないことを特徴とする再帰反射性の内部照明標識が開示されている。
【００１２】
さらに、上記の発明においては、背面投光式照明装置がエレクトロルミネッセンス原理に基づく照明装置であり、情報表示部の昼光色が蛍光色であることが開示されている。
【特許文献１】日本公開特許  平３−１５１９１
【特許文献２】日本実用新案  平６−２３１９５
【特許文献３】日本公開特許  平９−７３９８３
【特許文献４】公表特許  平８−５０２１３１
【特許文献５】日本公開特許  平１０−１４３０９８
【特許文献６】日本公開特許  平１１−１５４１５
【特許文献７】ＷＯ  ２００４／００６２１６Ａ１
【発明の開示】
【発明が解決しようとする課題】
【００１３】
本発明に記載の蛍光性再帰反射型内部照明表示装置が解決しようとする課題は、上記の様々な発明で開示されている内部照明表示装置において解決されていない外部に発せられる内部光の明るさが低下するという問題、観測者が内部光源装置を観測する角度（以降、視認角と言う）が変化するに従って観測される標識の明るさが著しく変化するという問題を解決することにある。
【００１４】
本発明のさらなる課題は、特に夕方や霧などの表示装置の認識が困難な条件下において、改善された視認性をもつ内部照明表示装置を供給することにある。
【課題を解決するための手段】
【００１５】
本発明における再帰反射型内部照明表示装置とは光透過性の再帰反射シートの内面に照明装置を設置し、車両のヘッドライトなどの外部光源装置から入射した光は再帰反射し、内部光源装置から発せられた光は再帰反射シートの層を通過して、いずれの光も観測者に到達するために優れた視認性をもつ。
【００１６】
キューブコーナー型再帰反射素子層には多数の微小なキューブコーナー型再帰反射素子が最密充填状に設置されており、本発明に用いられるキューブコーナー型再帰反射素子は内部光源装置から発せられた光を透過させるために内部全反射原理によって再帰反射されるように反射側面には鏡面反射層が設置されていない。該再帰反射素子層に用いられる樹脂としては光透過性に優れたアクリル樹脂、ポリカーボネート樹脂、塩化ビニール樹脂、スチレン樹脂、ウレタン樹脂などを適宜選択して用いることができる。
【００１７】
本発明に用いることのできるキューブコーナー型再帰反射素子としては三角錐型キューブコーナー素子、六角形の外形を与えるフルキューブ型再帰反射素子、テント型プリズムおよび四角錐型プリズムなどをそれぞれ単独または組み合わせて用いることができる。用いることのできる再帰反射素子の大きさ（素子の頂点から底面までの高さをもって大きさと定義する）は３０〜２０００μｍの大きさが優れた再帰反射性能と均一な外観を得るために好ましく用いられる。
【００１８】
また、内部光源装置から発せられた光の透過性を向上するために、素子の頂点部分や素子を構成するＶ字上の溝の底部に平領域面を設置することが好ましい。これらの平面の面積率は再帰反射性能と内部からの光の強さを制御するために適宜選択することができるが、例えば、１０〜５０％が好ましい。
【００１９】
キューブコーナー型再帰反射素子層の上部には表面層が設置されていることが好ましい。この表面層は該再帰反射素子層の耐侯性、耐水性の付与や、表面層と該再帰反射層との間に情報表示をするための印刷層や樹脂層を保護するために設置されている。用いることのできる表面層の樹脂としては光透過性に優れたアクリル樹脂、ポリカーボネート樹脂、塩化ビニール樹脂、スチレン樹脂、ウレタン樹脂、フッ素樹脂などを適宜選択して用いることができる。
【００２０】
蛍光着色層とは可視光線を他の波長の可視光線に遷移させて鮮やかな色彩の外観を付与する蛍光着色剤を含有した層であり、蛍光着色層は再帰反射素子層や表面層に蛍光着色剤を添加してそれら自体を蛍光性の層としてもよく、または、独立の層として別途再帰反射層あるいは表面層の上に設置してもよい。独立の蛍光着色層に用いることのできる樹脂と蛍光着色剤は同じものを用いることができる。
【００２１】
本発明に用いることのできる蛍光着色剤の例としては、例えば、Ｒｈｏｄａｍｉｎｅ  Ｂ  Ｅｘｔｒａ、Ｒｈｏｄａｍｉｎｅ  ６ＤＧＮ、Ｆｌｕｏｒｏｌ  ７ＧＮ、Ａｍａｐｌａｓｔ  Ｏｒａｎｇｅ  ＬＦＰ、Ｔｈｉｏｉｎｄｉｇｏｉｄ系、Ｔｈｉｏｘａｎｔｈｅｎｅ系、Ｂｅｎｚｏｘａｚｏｌｅ  Ｃｏｕｍａｒｉｎ系、Ｔｈｉｏｘａｎｔｈｏｎｅ系、および／またはＰｅｒｙｌｅｎｅ  ｉｍｉｄｅ系染料などの公知の蛍光染料を配合することにより鮮明な色調の蛍光性キューブコーナー型再帰反射シートを作成できることができる。
【００２２】
上記の蛍光染料は再帰反射層または表面層に紫外線吸収剤およびヒンダードアミン系光安定剤とを添加することも耐侯性、色彩の堅牢性を改善する上で好ましい。
【００２３】
さらにＰｅｒｙｌｅｎｅ  ｉｍｉｄｅ蛍光染料と、Ｌｕｍｏｇｅｎ  Ｆ  Ｙｅｌｌｏｗ  ０８３，ＣＩ  Ｓｏｌｖｅｎｔ  Ｙｅｌｌｏｗ  １６０：１，ＣＩ  Ｓｏｌｖｅｎｔ  Ｇｒｅｅｎ  ４、ＣＩ  Ｐｉｇｍｅｎｔ  Ｙｅｌｌｏｗ  １０１、ＣＩ  Ｓｏｌｖｅｎｔ  Ｙｅｌｌｏｗ  １３１、ＣＩ  Ｓｏｌｖｅｎｔ  Ｙｅｌｌｏｗ  ９８、Ｏｒａｓｅｔ  Ｙｅｌｌｏｗ  ８ＧＦ、ＣＩ  Ｓｏｌｖｅｎｔ  Ｇｒｅｅｎ５およびＧｏｌｄｅｎ  Ｙｅｌｌｏｗ  Ｄ３０４から選ばれる特定の蛍光染料との組合せを含有することにより鮮明な黄色の色調を持つ蛍光性再帰反射シートを得ることができる。
【００２４】
さらに、再帰反射層または表面層が式１
【００２５】
【化１】
2006284779.tif 000003
【００２６】
式中、
Ｒ1およびＲ2はそれぞれ水素原子、アルキル基、アリル基、シクロア
ルキル基、シクロヘキシルフェニル基またはアルキルフェニル基であ
り、Ｒ3およびＲ4はそれぞれ水素原子、ハロゲン原子、アルキル基ま
たはアルコキシ基である、
で示されるＢｅｎｚｏｉｍｉｄａｚｏｌｅ  Ｃｏｕｍａｒｉｎ（ベンゾイミダゾールクマリン）系蛍光染料及び式２
【００２７】
【化２】
2006284779.tif 000004
【００２８】
式中、
Ｙ1およびＹ2はそれぞれ水素原子、シアノ基、アルキル基、アルコキ
シ基、アリル基、アリルオキシ基、カルボアルコキシ基、アセトキシ置
換アルキル基、シクロアルキル基またはフェニル基であり、Ｙ3および
Ｙ4はそれぞれ水素原子、ハロゲン原子、アルコキシ基、シアノ基また
はニトロ基である、
で示されるＢｅｎｚｏｐｙｒａｎｅ（ベンゾピラン）系蛍光染料よりなる群から選ばれる蛍光染料の少なくとも１種を含有する蛍光着色層が特に好ましい。
【００２９】
また、本発明の再帰反射型内部照明表示装置に用いる内部光源装置がＥＬ式光源装置である場合は、ＥＬ式光源装置の主なる波長領域である４５０〜６００ｎｍにおいて、励起波長領域を持つような蛍光着色剤が特に好ましく用いることができる。
【００３０】
本発明の再帰反射型内部照明表示装置に用いるキューブコーナー型再帰反射素においては内部全反射原理に基づく再帰反射が達成されるように再帰反射素子の反射側面の下部には気体層が設置されるようにしてあることが重要である。通常、キューブコーナー型再帰反射素子の反射原理としては内部全反射型と鏡面反射型の２種があるが、鏡面反射型においては反射側面上に金属製の鏡面反射層が設置してあるために、内部からの光は全く透過しないか、あるいは透過しても極わずかな量であるので本発明における内部照明装置には適さない。また、このような金属製の鏡面反射層は本発明の特徴である昼間における蛍光色による視認性を著しく低下する。
【００３１】
上記の気体層をより確実に設置するためには、再帰反射素子と結合可能な結合剤層を再帰反射素子層の下部に設置し、反射素子と結合剤層の間で密封封入構造を形成することが一般的に実施されている。キューブコーナー型再帰反射素子の背面に気体層を密封封入するための結合剤層に用いる樹脂はそれ自体公知の熱可塑性接着剤、架橋型接着剤、熱硬化性接着剤、電子線架橋型接着剤などを適宜用いることが出来る。
【００３２】
また、結合剤層に用いる樹脂、該結合剤層を担持する支持体層、表面保護層、および再帰反射素子層の総合された光透過度は白色の再帰反射シートにおいては６％以上であることが望ましい。一般に交通標識などに用いられるキューブコーナー型再帰反射シートに用いられる結合剤層又は支持体層は、アルミニウムや木材などに積層するために一般に光透過性の乏しい白色のシート、例えば白色に着色されたＰＥＴフイルムなどが用いられるのが一般的であるが、本発明の用途としては好ましくない。従って、本発明においては無着色のＰＥＴフイルムの上に無色の光透過性結合剤層用樹脂を塗布した層を用いて密封封入構造を形成することが好ましい。
【００３３】
再帰反射型再帰反射素子の内面に設置された光源装置とは、内部から発せられた光が所期の標識の明るさになるような光源であれば特に限定されるものではないが、光源装置はＥＬ式光源装置、ＬＥＤ式光源装置、陰極管式光源装置、冷陰極管式光源装置などが好ましく、さらに平面型光源装置であることが好ましい。また、光源装置は無機または有機ＥＬ式光源装置であることが薄型で明るさの均一な表示装置が得られるのでより好ましい。
【００３４】
該光源装置から発せられる光は単一の波長ではなく白色光などが好ましく用いられる。本発明における発光波長領域とは光源装置から発せられた光の最大強度の３０％以上の強度を保持するような波長領域を持って代表されるものである。通常の陰極管式光源装置や冷陰極管式光源装置においてはすべての可視光線領域が発光波長領域となり得るが、ＥＬ式光源装置においては発せられる光は青や緑色を呈しており、発光波長領域は例えば約４５０〜５５０ｎｍであるがこの波長領域に限定されるものではない。
【００３５】
蛍光着色層は表面層及び再帰反射素子層のいずれかの層または両方の層に設置することができ、表示装置の外観が所期の蛍光色となるようにすることが出来る。蛍光着色層は各層を構成する樹脂に添加されてもよく、印刷層として別途設置されても構わない。用いることのできる蛍光着色剤は前記に説明した各種の蛍光着色剤を適宜選択することが出来る。また、用いる着色剤は染料や顔料のいずれの形態であっても構わないが光の励起効率や光透過性の面から染料である場合が特に好ましい。
【００３６】
蛍光着色層を通過した光源装置から発せられた光や外部から照射された光の一部の波長領域が吸収され異なる遷移発光波長領域として発せられる。本発明における蛍光着色層の励起波長領域とは吸収される波長領域を意味する。本発明の表示装置においては、該励起波長領域と光源装置からの波長領域は重複していることが好ましい。
【００３７】
また本発明における蛍光着色層の該励起波長領域は可視光であることが好ましい。蛍光増白剤などのように紫外線領域に励起波長領域をもち可視光線領域に発光波長領域をもつ化合物は、本発明における表示装置を形成する各光透過性の層が通常は耐候性を付与するために紫外線吸収剤を含んでいるために得られる光遷移効果は小さい。さらに、本発明に好ましく用いることの出来る光源装置には紫外線を効率よく発生させるものは少ない。たとえ、紫外線が発生されていたとしても発生する紫外線は表示装置を構成する各光透過性の層の耐久性を著しく低下させるので好ましくない。
【００３８】
上記の理由により光源装置の発光波長の主波長は、該蛍光着色層の励起波長領域内にあることとは本発明の表示装置においては重要である。
【００３９】
ＥＬ式光源装置、ＬＥＤ式光源装置、陰極管式光源装置、冷陰極管式光源装置が本発明の蛍光性再帰反射型内部照明表示装置の光源装置に好ましく用いることが出来る。本発明に用いる光源装置は蛍光着色層の励起波長領域において光を発光していることが必要である。
【００４０】
平面型光源装置とはＥＬ式光源装置のように発光装置の全面にわたって光を発光するような光源装置である。このような平面光源装置は本発明における内部照明表示装置に均一な照度分布を与え観察者に優れた視認性をもたらす。さらに、このような平面型光源装置は一般に薄型の表示装置を作ることが出来るので好ましい。
【００４１】
ＥＬ式光源装置は無機または有機ＥＬ式光源装置であっても良い。一般に無機ＥＬ式光源装置は発光光線領域が４００〜５５０ｎｍの青〜緑色の光線を発する。これらの波長は赤、オレンジ、黄色系の蛍光着色剤の励起波長に一致することが多いので本発明における蛍光性再帰反射型内部照明表示装置に用いる光源装置として好ましい。また、有機ＥＬ式光源装置においても、用いる蛍光着色剤の励起波長に重複する光を発光することが本発明における蛍光性再帰反射型内部照明表示装置に必要である。
【００４２】
光拡散層とはＬＥＤ式光源装置、陰極管式光源装置、冷陰極管式光源装置などの平面型光源装置でなく発する光が不均一に発せられるような光源装置において、表示装置表面に均一な照度分布を与えるために光源装置と組合わせて用いることが出来る。用いる光拡散層は乳白フイルムなどの従来公知の光拡散層を限定することなく用いることが出来る。
【００４３】
本発明の表示装置においては情報表示層を表面層の上面及び／又は下面などの任意の位置に設置することが出来る。情報表示層とは文字、ロゴ、図柄など、観察者に種々の情報を伝えるために設置される。情報表示層はそれ自体が光透過性であり光源装置からの光を透過する層であっても、光不透過性の層であっても構わない。情報表示層を形成する方法は、樹脂フイルムや再帰反射シートなどを任意の形状に切り抜ぬいて貼り付ける方法や印刷法によって設置することが出来る。印刷法はスクリーン印刷、グラビア印刷、フレキソ印刷、オフセット印刷、インクジェット印刷、熱転写印刷、トナー印刷などの電子印刷などを用いることが出来る。
【００４４】
本発明における表示装置は、キューブコーナー型再帰反射素子層による再帰反射光、蛍光性再帰反射型内部照明表示装置の外部から入射された光によって蛍光着色層が励起されることにより発する遷移光、内部光源装置から発する光によって蛍光着色層が励起されることにより発する遷移光、該内部光源装置から発する光の透過光、のうちそれらの一つの光もしくは２つ以上の合成された光により視認される蛍光性再帰反射型内部照明表示装置である。
【００４５】
したがって、従来公知の再帰反射型内部照明装置と異なり本発明における表示装置においては、蛍光性再帰反射型内部照明表示装置の外部から入射された光によって蛍光着色層が励起されることにより発する遷移発光した光、内部光源装置から発する光によって蛍光着色層が励起されることにより発する遷移発光した光が、内部光源装置から発する透過光とキューブコーナー型再帰反射素子層による再帰反射光に加わり優れた視認性を得ることが出来る。
【発明の効果】
【００４６】
本発明における蛍光性再帰反射型内部照明表示装置は、蛍光性再帰反射型内部照明表示装置の外部から入射された光によって蛍光着色層が励起されることにより発する遷移発光した光、内部光源装置から発する光によって蛍光着色層が励起されることにより発する遷移発光した光が、内部光源装置から発する透過光とキューブコーナー型再帰反射素子層による再帰反射光に加わり優れた視認性を得ることが出来る。
【００４７】
このような励起効果により遷移発光した光が加わることにより様々な視認角においても均一な明るさの表示装置とすることができる。さらに、昼間においても蛍光性の外観により優れた視認性を得ることができる。
【発明を実施するための最良の形態】
【００４８】
本発明における蛍光性再帰反射型内部照明表示装置の好ましい実施形態を図面を引用しながら説明を行う。
【００４９】
図１は内部照明表示装置（１）と車両のヘッドランプなどの外部光源（３）、観測者（４）との幾何学的な位置関係を説明する図面である。該表示装置の垂線（２）と外部光源（３）と表示装置とを結ぶ線とで挟まれる角度（β）は外部光源の入射角度であり、外部光源（３）と表示装置とを結ぶ線と観測者（４）と表示装置を結ぶ線分で挟まれる角度（α）は観測角として交通標識分野では広く知られている。さらに、垂線（２）と観測者（４）と表示装置とを結ぶ線とで挟まれる角度（γ）は視認角として定義される。
【００５０】
本発明における蛍光性再帰反射型内部照明表示装置においては広い範囲の視認角（γ）の範囲で優れた視認性が得られる。
【００５１】
図２は本発明における蛍光性再帰反射型内部照明表示装置の好ましい一態様を説明する断面図である。表示装置は上から第１の表面層（１１）の上に設置された第２の表面層（１８）、情報表示層（１２）、第１の表面層（１１）、キューブコーナー再帰反射素子層（１３）、気体層（１４）、およびＥＬ式光源装置（１９）が示されている。ＥＬ式光源装置（１９）には交流電源装置が結合されている。
【００５２】
図２において、キューブコーナー再帰反射素子層（１３）の背面には結合剤層や支持体層が設置されておらず、密封封入構造を有していないために、すべての再帰反射素子領域において再帰反射が可能であり、また背面からの光を減衰すること無しに透過することが出来て好ましい。
【００５３】
蛍光着色層は上記の第２の表面層（１８）、第１の表面層（１１）、キューブコーナー再帰反射素子層（１３）のいずれにも設置することができる。また、情報表示層（１２）に蛍光性のインキを用いて情報表示領域を蛍光性とすることもできる。
【００５４】
図２におけるＥＬ式光源装置（１９）は他の光源装置に置き換えることもできる。好ましい他の光源装置としてはＬＥＤ式光源装置、陰極管式光源装置、冷陰極管式光源装置などを採用することができる。
【００５５】
図３は本発明における他の蛍光性再帰反射型内部照明表示装置の好ましい一態様を説明する断面図である。表示装置は上から第１の表面層（１１）、情報表示層（１２）、キューブコーナー再帰反射素子層（１３）、気体層（１４）、結合剤層（１５）、支持体層（１６）、およびＥＬ式光源装置（１９）が示されている。ＥＬ式光源装置（１９）には交流電源装置が結合されている。
【００５６】
図３において、キューブコーナー再帰反射素子層（１３）の背面には結合剤層（１５）と支持体層（１６）が設置されており密封封入構造を形成している。これらの結合剤層（１５）と支持体層（１６）は背面からの光を効率的に透過するために光透過性の素材が用いられている。
【００５７】
図３の態様においても蛍光着色層は第１の表面層（１１）、キューブコーナー再帰反射素子層（１３）のいずれにも設置することができる。また、情報表示層（１２）に蛍光性のインキを用いて情報表示領域を蛍光性とすることもできる。
【００５８】
図３におけるＥＬ式光源装置（１９）も他の光源装置に置き換えることもできる。好ましい他の光源装置としてはＬＥＤ式光源装置、陰極管式光源装置、冷陰極管式光源装置などを採用することができる。
【実施例】
【００５９】
以下、実施例により本発明の詳細を更に具体的に説明するが、本発明は実施例にのみ限定されるものでないことはいうまでもない。
【００６０】
＜実施例１＞
図２に示される構造を有する本発明における蛍光性再帰反射型内部照明表示装置において、キューブコーナー再帰反射素子層（１３）として、三菱エンジニアリングプラスティックス株式会社製ビスフェノール型ポリカーボネート樹脂「ユーピロン  Ｈ３０００」１００重両部に対して日本化薬株式会社製のベンゾピラン系赤色蛍光染料「カヤセットＳＦ−Ｂ」０．１重量部、ベンゾイミダゾールクマリン系黄色蛍光染料「カヤセットＳＦ−Ｇ」０．１重量部を混合した着色ポリカーボネート樹脂製の蛍光オレンジ性三角錐型キューブコーナー再帰反射シートを用いた。
【００６１】
第１の表面層（１１）としては５０μｍの厚さのアクリル樹脂フィルム株式会社カネカ製「サンデュレン０１４ＮＳＴ」を設置し、その表面にスクリーン印刷法を用いて厚さ６μｍの黒色の情報表示層（１２）を設置した。
【００６２】
さらに、第２の表面層（１８）として厚さ５ｍｍのアクリル樹脂板を設置した。
【００６３】
ＥＬ式光源装置（１９）としてはスタンレー電気株式会社製のＥＬ式光源装置、ルゼルシートを上記の再帰反射素子層の背面に設置した。
【００６４】
図４の曲線１には上記で用いた蛍光性のキューブコーナー再帰反射素子層（１３）の励起スペクトルが、曲線２にはＥＬ式光源装置（１９）の発光スペクトル、また曲線３には遷移発光により蛍光性キューブコーナー再帰反射素子層（１３）から発せられた光線のスペクトルが示されている。
【００６５】
これらのスペクトルを光の最大強度の３０％以上の強度を保持するような波長領域を持って代表領域とすると、実施例１における蛍光性のキューブコーナー再帰反射素子層（１３）の励起波長の代表領域は３８０〜５９０ｎｍであり、ＥＬ式光源装置（１９）の発光波長の代表領域は４５０〜５６０ｎｍである。従って、ＥＬ式光源装置（１９）から発せられる光は可視光であり、その発光波長の主波長は蛍光性キューブコーナー再帰反射素子層（１３）の励起波長領域内にある。
【００６６】
さらに、遷移発光により蛍光性キューブコーナー再帰反射素子層（１３）から発せられた光線の遷移波長の代表領域は５７０〜６６０ｎｍである。
【００６７】
＜比較例１＞
比較例１として実施例１における表示装置から蛍光性のキューブコーナー再帰反射素子層（１３）を取り除いたものを比較例１における非蛍光性の表示装置とした。
【００６８】
＜比較例２＞
比較例２として実施例１における表示装置で用いた蛍光性のキューブコーナー再帰反射素子層（１３）を無着色のポリカーボネート樹脂で作成した白色のキューブコーナー再帰反射素子層を設置して比較例２における非蛍光性の表示装置とした。
【００６９】
図５には上記の実施例１、比較例１および比較例２において作成した表示装置の様々な視認角における表示装置表面の照度の分布を示した。
【００７０】
比較例１における表示装置は広い視認角の範囲において均一な照度分布を示すものの、表示装置の外観はＥＬ式光源装置の発する青色の色彩であり再帰反射性能も有していない。さらに、昼間における外観はＥＬ式光源装置の黄色状の外観を示しており昼間と夜間における外観の違いが顕著である。
【００７１】
また、比較例２における表示装置は４５〜７５度の視認角において優れた照度分布を示すものの、正面方向における照度の低下が著しく均一な視認角特性が得られなかった。
【００７２】
それに対して、本発明の実施例１における蛍光性の表示装置の視認角特性はオレンジ色の着色に起因する照度の低下はあるものの均一な視認角特性が得られた。また、昼間と夜間のいずれにおいても優れた視認性をもつオレンジ色の外観を有しており、さらに、再帰反射性能も優れていた。
【産業上の利用可能性】
【００７３】
蛍光性再帰反射型内部照明表示装置であって、交通標識、商業標識、各種の機械等に設置されるランプ類や表示装置に用いることができる。
【００７４】
詳しくは、夜間において外部から入射した光を光源に向かって再帰反射する蛍光色の外観を呈する表示装置に関し、該光源装置から発せられる光の発光波長領域の一部が、該蛍光着色層の励起波長領域内にあることを特徴とする蛍光性再帰反射型内部照明表示装置として夕方や霧などの表示装置の認識が困難な条件下において特に有用である。
【図面の簡単な説明】
【００７５】
【図１】内部光源装置、光源および観測者との角度関係を説明する図
【図２】本発明の蛍光性再帰反射型内部照明表示装置
【図３】本発明の蛍光性再帰反射型内部照明表示装置
【図４】吸収、発光スペクトル図
【図５】視認角と照度の関係を示す図
【符号の説明】
【００７６】
１：内部照明表示装置
２：垂線
３：外部光源装置
４：観測者
１１：第１の表面層
１２：情報表示層
１３：キューブコーナー再帰反射素子層
１４：気体層
１５：結合剤層
１６：支持体層
１８：第２の表面層
１９：ＥＬ式光源装置
【図１】
2006284779.tif 000005
【図２】
2006284779.tif 000006
【図３】
2006284779.tif 000007
【図４】
2006284779.tif 000008
【図５】
2006284779.tif 000009